(57)【要約】  【課題】セキュリティを確保しつつ、簡単な操作で無線通信端末の無線アクセスポイントへの無線接続を可能とする技術を提供する。  【解決手段】クレードル機能付き無線ＡＰ１は、ＡＮＹ接続要求を受信すると、この送信元とＡＮＹ接続して状態情報を取得する。状態情報が所定の接続条件を満足しているならば、この送信元にアカウント情報を送信する。また、無線接続要求を受信すると、この無線接続要求が自クレードル機能付き無線ＡＰ１のアカウント情報を伴っているならば、この送信元と無線接続する。一方、無線通信端末２は、操作者の指示に従いクレードル機能付き無線ＡＰ１にＡＮＹ接続要求を送信し、クレードル機能付き無線ＡＰ１とＡＮＹ接続して自身の状態情報を通知する。その後、クレードル機能付き無線ＡＰ１からアカウント情報を受信したならば、ＡＮＹ接続を切断し、このアカウント情報を伴う無線接続要求をクレードル機能付き無線ＡＰ１に送信する。【選択図】図１
2014103484.tif 000002
【特許請求の範囲】
【請求項１】
無線通信端末と所定のネットワークとの間でデータを中継する無線アクセスポイントであって、
空欄またはＡＮＹに設定されたＳＳＩＤ（Ｓｅｒｖｉｃｅ  Ｓｅｔ  Ｉｄｅｎｔｉｆｉｅｒ）を用いて任意のアクセスポイントと接続するＡＮＹ接続を要求するＡＮＹ接続要求を前記無線通信端末から受信した場合に、当該無線通信端末とＡＮＹ接続するＡＮＹ接続要求処理手段と、
前記ＡＮＹ接続要求処理手段によりＡＮＹ接続されている前記無線通信端末から、当該無線通信端末のセキュリティ設定状態およびネットワーク接続状況を含む状態情報を取得する状態情報取得手段と、
前記状態情報取得手段により取得された前記状態情報と所定の接続条件とを参照し、前記ＡＮＹ接続されている無線通信端末を自無線アクセスポイントに接続するか否かを判断する接続可否判断手段と、
前記接続可否判断手段により自無線アクセスポイントに接続する旨の判断がなされた場合に、前記ＡＮＹ接続されている無線通信端末に自無線アクセスポイントのＳＳＩＤを含むアカウント情報を送信するアカウント情報送信手段と、
前記無線通信端末から自無線アクセスポイントのＳＳＩＤを含む前記アカウント情報を伴う接続要求を受信した場合に、前記所定のネットワークと当該無線通信端末との間でデータを中継する中継制御手段と、を有する
ことを特徴とする無線アクセスポイント。
【請求項２】
請求項１に記載の無線アクセスポイントであって、
前記接続可否判断手段により自無線アクセスポイントへの接続を拒否する旨の判断がなされた場合に、前記所定の接続条件を満足させるために必要な設定変更の内容を、前記ＡＮＹ接続されている無線通信端末に送信する設定変更内容送信手段をさらに有する
ことを特徴とする無線アクセスポイント。
【請求項３】
請求項１または２に記載の無線アクセスポイントであって、
前記アカウント情報送信手段は、
前記所定のネットワークに接続された所定のサーバからサービス提供を受けるために必要なサーバ用アカウント情報を、前記自無線アクセスポイントのＳＳＩＤを含むアカウント情報とともに、前記ＡＮＹ接続されている無線通信端末に送信する
ことを特徴とする無線アクセスポイント。
【請求項４】
請求項１ないし３のいずれか一項に記載の無線アクセスポイントであって、
前記無線通信端末を載置するための載置台と、
近距離無線通信あるいは有線接続により、前記載置台に載置されている前記無線通信端末から当該無線通信端末のアドレス情報を取得するアドレス取得手段と、をさらに有し、
前記ＡＮＹ接続要求処理手段は、
前記無線通信端末から受信したＡＮＹ接続要求の送信元アドレスが、前記アドレス取得手段によって取得されたアドレス情報により特定されるアドレスと一致する場合にのみ、当該無線通信端末とＡＮＹ接続する
ことを特徴とする無線アクセスポイント。
【請求項５】
請求項１ないし４のいずれか一項に記載の無線アクセスポイントであって、
前記状態情報取得手段は、
前記ＡＮＹ接続されている無線通信端末に所定のプログラムを送信して実行させることにより、当該無線通信端末から当該無線通信端末の前記状態情報を取得する
ことを特徴とする無線アクセスポイント。
【請求項６】
請求項１ないし５のいずれか一項に記載の無線アクセスポイントとの無線通信機能を備えた無線通信端末であって、
操作者の指示に従い前記無線アクセスポイントにＡＮＹ接続要求を送信して、当該無線アクセスポイントとＡＮＹ接続するＡＮＹ接続要求手段と、
前記ＡＮＹ接続要求手段によりＡＮＹ接続されている前記無線アクセスポイントに、自無線通信端末のセキュリティ設定状態およびネットワーク接続状況を含む状態情報を通知する状態情報通知手段と、
前記ＡＮＹ接続要求手段によりＡＮＹ接続されている前記無線アクセスポイントから受信した当該無線アクセスポイントのＳＳＩＤを含むアカウント情報を登録する無線アクセスポイント用アカウント情報登録手段と、
前記無線アクセスポイント用アカウント情報登録手段により登録された前記無線アクセスポイントのＳＳＩＤを含むアカウント情報を伴う無線接続要求を送信して、当該無線アクセスポイントと無線接続する無線接続要求手段と、を有する
ことを特徴とする無線通信端末。
【請求項７】
請求項６に記載の無線通信端末であって、
前記ＡＮＹ接続要求手段によりＡＮＹ接続されている前記無線アクセスポイントから、自無線通信端末を前記無線アクセスポイントに無線接続するために必要な設定変更の内容を受信した場合に、当該設定変更の内容を自無線通信端末が備える出力装置に出力して、前記操作者から設定変更の可否を受け付ける設定変更可否受付手段と、
前記設定変更可否受付手段により前記操作者から設定変更の許可を受け付けた場合に、前記設定変更の内容に従って自無線通信端末の設定を変更する設定変更手段と、をさらに有し、
前記状態情報通知手段は、
前記設定変更手段により自無線通信端末の設定が変更された場合に、設定変更後の自無線通信端末の前記状態情報を再度通知する
ことを特徴とする無線通信端末。
【請求項８】
請求項６または７に記載の無線通信端末であって、
前記ＡＮＹ接続要求手段によりＡＮＹ接続されている前記無線アクセスポイントから受信したサーバ用アカウント情報を登録するサーバ用アカウント情報登録手段と、
前記無線接続要求手段により無線接続されている前記無線アクセスポイントを介して所定のサーバに、前記サーバ用アカウント情報登録手段により登録された前記サーバ用アカウント情報を伴うログイン要求を送信して、当該所定のサーバにログインするログイン要求手段と、をさらに有する
ことを特徴とする無線通信端末。
【請求項９】
請求項６ないし８のいずれか一項に記載の無線通信端末であって、
近距離無線通信あるいは有線接続により、自無線通信端末が載置している前記無線アクセスポイントに自無線通信端末のアドレス情報を通知するアドレス通知手段、をさらに有する
ことを特徴とする無線通信端末。
【請求項１０】
請求項６ないし９のいずれか一項に記載の無線通信端末であって、
前記ＡＮＹ接続要求手段によりＡＮＹ接続されている前記無線アクセスポイントから所定のプログラムを受信して実行することにより、少なくとも前記状態情報通知手段を具現化するプログラム実行手段をさらに有する
ことを特徴とする無線通信端末。
【請求項１１】
無線通信端末の無線アクセスポイントへの接続制御方法であって、
前記無線アクセスポイントは、
空欄またはＡＮＹに設定されたＳＳＩＤ（Ｓｅｒｖｉｃｅ  Ｓｅｔ  Ｉｄｅｎｔｉｆｉｅｒ）を用いて任意のアクセスポイントと接続するＡＮＹ接続を要求するＡＮＹ接続要求を前記無線通信端末から受信した場合に、当該無線通信端末とＡＮＹ接続し、当該無線通信端末から、セキュリティ設定状態およびネットワーク接続状況を含む状態情報を取得して、当該取得した状態情報が所定の接続条件を満足しているか否かを判断し、満足していると判断したならば、前記無線通信端末に自無線アクセスポイントのＳＳＩＤを含むアカウント情報を送信し、
前記無線通信端末から接続要求を受信した場合に、当該接続要求が自無線アクセスポイントのＳＳＩＤを含むアカウント情報を伴っているならば、当該無線要求を許可して、前記無線通信端末と所定のネットワークとの間でデータを中継し、
前記無線通信端末は、
操作者の指示に従い前記無線アクセスポイントにＡＮＹ接続要求を送信し、前記無線アクセスポイントとＡＮＹ接続して、前記無線アクセスポイントに自無線通信端末の前記状態情報を通知し、
前記無線アクセスポイントから当該無線アクセスポイントのＳＳＩＤを含むアカウント情報を受信したならば、当該無線アクセスポイントのＳＳＩＤを含むアカウント情報を伴う接続要求を前記無線アクセスポイントに送信し、前記無線アクセスポイントを介して前記所定のネットワークとデータを送受する
ことを特徴とする無線通信端末の無線アクセスポイントへの接続制御方法。
【発明の詳細な説明】
【技術分野】
【０００１】
本発明は、無線通信端末の無線アクセスポイントへの接続制御技術に関する。
【背景技術】
【０００２】
特許文献１には、簡単な操作で無線接続の設定が可能な無線通信システムが開示されている。この無線通信システムは、無線通信機能を有する電子書籍端末と、この電子書籍端末との接続端子および無線通信機能を有するクレードルと、を備えて構成されている。クレードルは、接続端子に電子書籍端末が接続された状態で入力ボタンが押下されると、この接続端子を介して電子書籍端末に、無線通信を行うための初期設定の開始を指示する信号を送信する。これを受けて、電子書籍端末は、クレードルと無線通信を行うための初期設定を開始する。
【先行技術文献】
【特許文献】
【０００３】
【特許文献１】特開２０１２−６０４６４号公報
【発明の概要】
【発明が解決しようとする課題】
【０００４】
しかしながら、特許文献１に記載の無線通信システムでは、近年、ビジネスでの使用を前提としたスマートフォン、タブレット端末等の無線通信端末において重要性が高まりつつあるモバイルデバイス管理に対応できないという問題がある。
【０００５】
例えば、特許文献１に記載の無線通信システムにおいて、クレードルが社内ＬＡＮに接続されており、電子書籍端末がクレードルとの無線通信機能の他に、３Ｇ回線、公衆無線ＬＡＮ等の公衆無線ネットワークとの無線通信機能を備えている場合、クレードルに無線接続された電子書籍端末を介して、公衆無線ネットワークから社内ＬＡＮに不正なアクセスが行われる可能性がある。
【０００６】
本発明は上記事情に鑑みてなされたものであり、その目的は、セキュリティを確保しつつ、簡単な操作で無線通信端末の無線アクセスポイントへの無線接続を可能とする技術を提供することにある。
【課題を解決するための手段】
【０００７】
上記課題を解決するために、本発明において、所定のネットワークに接続された無線アクセスポイントは、ＡＮＹ接続要求を受信すると、このＡＮＹ接続要求の送信元である無線通信端末とＡＮＹ接続して、この無線通信端末から、セキュリティ設定状態およびネットワーク接続状況を含む状態情報を取得する。そして、取得した状態情報が所定の接続条件を満足しているか否かを判断し、満足していると判断したならば、この無線通信端末にアカウント情報を送信する。また、無線アクセスポイントは、無線通信端末から接続要求を受信した場合に、この無線接続要求が自身のアカウント情報を伴っているならば、この接続要求を許可して、この無線通信端末と所定のネットワークとの間のデータ中継を開始する。
【０００８】
一方、無線通信端末は、操作者の指示に従い無線アクセスポイントにＡＮＹ接続要求を送信し、無線アクセスポイントとＡＮＹ接続して、無線アクセスポイントに自身の状態情報を通知する。その後、無線アクセスポイントからアカウント情報を受信したならば、このアカウント情報を伴う接続要求を無線アクセスポイントに送信する。
【０００９】
例えば、本発明の無線アクセスポイントは、無線通信端末と所定のネットワークとの間でデータを中継する無線アクセスポイントであって、
空欄またはＡＮＹに設定されたＳＳＩＤ（Ｓｅｒｖｉｃｅ  Ｓｅｔ  Ｉｄｅｎｔｉｆｉｅｒ）を用いて任意のアクセスポイントと接続するＡＮＹ接続を要求するＡＮＹ接続要求を前記無線通信端末から受信した場合に、当該無線通信端末とＡＮＹ接続するＡＮＹ接続要求処理手段と、
前記ＡＮＹ接続要求処理手段によりＡＮＹ接続されている前記無線通信端末から、当該無線通信端末のセキュリティ設定状態およびネットワーク接続状況を含む状態情報を取得する状態情報取得手段と、
前記状態情報取得手段により取得された前記状態情報と所定の接続条件とを参照し、前記ＡＮＹ接続されている無線通信端末を自無線アクセスポイントに接続するか否かを判断する接続可否判断手段と、
前記接続可否判断手段により自無線アクセスポイントに接続する旨の判断がなされた場合に、前記ＡＮＹ接続されている無線通信端末に自無線アクセスポイントのＳＳＩＤを含むアカウント情報を送信するアカウント情報送信手段と、
前記無線通信端末から自無線アクセスポイントのＳＳＩＤを含む前記アカウント情報を伴う接続要求を受信した場合に、前記所定のネットワークと当該無線通信端末との間でデータを中継する中継制御手段と、を有する。
【００１０】
また、本発明の無線通信端末は、上述の無線アクセスポイントとの無線通信機能を備えた無線通信端末であって、
操作者の指示に従い前記無線アクセスポイントにＡＮＹ接続要求を送信して、当該無線アクセスポイントとＡＮＹ接続するＡＮＹ接続要求手段と、
前記ＡＮＹ接続要求手段によりＡＮＹ接続されている前記無線アクセスポイントに、自無線通信端末のセキュリティ設定状態およびネットワーク接続状況を含む状態情報を通知する状態情報通知手段と、
前記ＡＮＹ接続要求手段によりＡＮＹ接続されている前記無線アクセスポイントから受信した当該無線アクセスポイントのＳＳＩＤを含むアカウント情報を登録する無線アクセスポイント用アカウント情報登録手段と、
前記無線アクセスポイント用アカウント情報登録手段により登録された前記無線アクセスポイントのＳＳＩＤを含むアカウント情報を伴う無線接続要求を送信して、当該無線アクセスポイントと無線接続する無線接続要求手段と、を有する。
【発明の効果】
【００１１】
本発明では、所定の接続条件を満足している無線通信端末のみが、ＡＮＹ接続を用いて無線アクセスポイントからアカウント情報を取得でき、このアカウント情報を用いて無線アクセスポイントに無線接続することにより、無線アクセスポイント経由で所定のネットワークに接続することができる。また、操作者が無線通信端末に指示を入力するだけで、自無線通信端末のセキュリティ設定状態およびネットワーク接続状況を含む状態情報の通知、アカウント情報の受信、およびアカウント情報を用いた無線アクセスポイントへの無線接続を行うことができる。したがって、本発明によれば、セキュリティを確保しつつ、簡単な操作で無線通信端末を無線アクセスポイントに無線接続することができる。
【図面の簡単な説明】
【００１２】
【図１】図１は、本発明の一実施の形態に係る通信システムの概略構成図である。
【図２】図２は、本発明の一実施の形態に係る通信システムの動作例を説明するためのシーケンス図である。
【図３】図３は、クレードル機能付き無線ＡＰ１の概略機能構成図である。
【図４】図４は、クレードル機能付き無線ＡＰ１の動作を説明するためのフロー図である。
【図５】図５は、無線通信端末２の概略機能構成図である。
【図６】図６は、無線通信端末２の動作を説明するためのフロー図である。
【発明を実施するための形態】
【００１３】
以下に、本発明の一実施の形態について説明する。
【００１４】
図１は、本実施の形態に係る通信システムの概略構成図である。
【００１５】
図示するように、本実施の形態に係る通信システムは、少なくとも１台のクレードル機能付き無線ＡＰ１と、スマートフォン、タブレット端末等の無線通信端末２と、ＬＡＮ４を介してクレードル機能付き無線ＡＰ１に接続されたサーバ３と、を備えて構成されている。
【００１６】
クレードル機能付き無線ＡＰ１は、無線通信端末２のクレードルとしての機能を有する無線アクセスポイントであり、自クレードル機能付き無線ＡＰ１に載置された無線通信端末２をＬＡＮ４に接続する。無線通信端末２は、クレードル機能付き無線ＡＰ１との無線通信機能に加え、３Ｇ回線、公衆無線ＬＡＮ等の公衆無線ネットワークとの無線通信機能を備えている。サーバ３は、ＳＩＰサーバ、ファイルサーバ等のサービス提供を受けるためにログインを要求するサーバである。
【００１７】
図２は、本実施の形態に係る通信システムの動作例を説明するためのシーケンス図である。
【００１８】
まず、無線通信端末２は、操作者によってクレードル機能付き無線ＡＰ１に載置され、所定のボタンの押下等の接続操作を受け付けると（Ｓ１００）、クレードル機能付き無線ＡＰ１から逐次出力されているビーコン信号等に基づいて、最寄りの無線アクセスポイントであるクレードル機能付き無線ＡＰ１を検出する。そして、このクレードル機能付き無線ＡＰ１に対して、このクレードル機能付き無線ＡＰ１に設定されているＥＳＳ−ＩＤ（Ｅｘｔｅｎｄｅｄ  Ｓｅｒｖｉｃｅ  Ｓｅｔ  Ｉｄｅｎｔｉｆｉｅｒ）に関わらず接続を要求するＡＮＹ接続要求を送信する（Ｓ１０１）。具体的には、無線通信端末２は、空欄またはＡＮＹに設定されたＳＳＩＤ（Ｓｅｒｖｉｃｅ  Ｓｅｔ  Ｉｄｅｎｔｉｆｉｅｒ）を含むアカウント情報を伴う接続要求を送信する。
【００１９】
クレードル機能付き無線ＡＰ１は、ＡＮＹ接続要求を受信すると、自クレードル機能付き無線ＡＰ１に対する無線通信端末２の載置状態の判定（載置判定）を行う（Ｓ１０２）。ここで、無線通信端末２の載置状態は「載置」と判定される。この場合、クレードル機能付き無線ＡＰ１は、無線通信端末２が自クレードル機能付き無線ＡＰ１に載置されることにより接続状態となった接続端子（ＡＰ側接続端子）を介して、この無線通信端末２にアドレス要求を送信する（Ｓ１０３）。なお、無線通信端末２の載置状態が「非載置」と判定された場合、クレードル機能付き無線ＡＰ１は、ＡＮＹ接続要求を無視するか、あるいは、ＡＮＹ接続要求を拒否する旨の拒否応答を返信する。
【００２０】
無線通信端末２は、自無線通信端末２がクレードル機能付き無線ＡＰ１に載置されることにより接続状態となった接続端子（端末側接続端子）を介して、クレードル機能付き無線ＡＰ１からアドレス要求を受信すると、この端末側接続端子を介してクレードル機能付き無線ＡＰ１に、自無線通信端末２のアドレスが記述されたアドレス通知を送信する（Ｓ１０４）。
【００２１】
クレードル機能付き無線ＡＰ１は、ＡＰ側接続端子を介して、自クレードル機能付き無線ＡＰ１に載置されている無線通信端末２からアドレス通知を受信すると、このアドレス通知に記述されているアドレスとＡＮＹ接続要求の送信元のアドレスとを比較することにより、自クレードル機能付き無線ＡＰ１に載置されている無線通信端末２がＡＮＹ接続要求の送信元であるか否かの判定（端末判定）を行う（Ｓ１０５）。ここで、自クレードル機能付き無線ＡＰ１に載置されている無線通信端末２をＡＮＹ接続要求の送信元であると判定する。この場合、クレードル機能付き無線ＡＰ１は、ＡＮＹ接続を許可する旨の許可応答を返信し、自クレードル機能付き無線ＡＰ１に載置されている、ＡＮＹ接続要求の送信元である無線通信端末２に対して、自クレードル機能付き無線ＡＰ１に設定されているＥＳＳ−ＩＤに関わらず接続（ＡＮＹ接続）する（Ｓ１０６）。なお、自クレードル機能付き無線ＡＰ１に載置されている無線通信端末２がＡＮＹ接続要求の送信元でないと判定された場合、クレードル機能付き無線ＡＰ１は、ＡＮＹ接続要求を無視するか、あるいは、ＡＮＹ接続要求を拒否する旨の拒否応答を返信する。
【００２２】
つぎに、クレードル機能付き無線ＡＰ１は、ＡＮＹ接続を介して無線通信端末２に、状態調査および制御のためのプログラムである端末調査・制御ＰＧを送信する（Ｓ１０７）。
【００２３】
無線通信端末２は、ＡＮＹ接続を介してクレードル機能付き無線ＡＰ１から受信した端末調査・制御ＰＧを実行する（Ｓ１０８）。そして、この端末調査・制御ＰＧに従い、自無線通信端末２のセキュリティ設定状態およびネットワーク接続状況を含む状態情報を収集し（Ｓ１０９）、ＡＮＹ接続を介してクレードル機能付き無線ＡＰ１に、この状態情報を送信する（Ｓ１１０）。
【００２４】
クレードル機能付き無線ＡＰ１は、ＡＮＹ接続を介して無線通信端末２から状態情報を受信すると、この状態情報が所定の接続条件を満足しているか否かを調べることにより、無線通信端末２のＬＡＮ４への接続可否を判断する（Ｓ１１１）。無線通信端末２がＬＡＮ４に「接続可」であると判断するための所定の接続条件としては、例えば、セキュリティソフトウェアが機能（少なくともファイアウォール機能が有効かつウイルス・スパイウェア検出機能が稼働中）していること、および、３Ｇ回線、公衆無線ＬＡＮ等の公衆無線ネットワークに接続されていないことの少なくとも一方に該当することが挙げられる。ここでは、無線通信端末２のＬＡＮ４への接続可否が「接続可」と判断されたものとする。この場合、クレードル機能付き無線ＡＰ１は、ＡＮＹ接続を介して無線通信端末２に、自クレードル機能付き無線ＡＰ１に無線接続するために必要なアカウント情報（自クレードル機能付き無線ＡＰ１のＳＳＩＤを含むアカウント情報）であるＡＰ用アカウント情報、およびサーバ３にログインするために必要なアカウント情報であるサーバ用アカウント情報を送信し（Ｓ１１２）、その後、無線通信端末２とのＡＮＹ接続を切断する（Ｓ１１３）。ここで、サーバ用アカウント情報は、クレードル機能付き無線ＡＰ１の起動時に、クレードル機能付き無線ＡＰ１がサーバ３にアクセスして取得するようにしてもよい。
【００２５】
なお、無線通信端末２のＬＡＮ４への接続可否が「接続不可」と判断された場合、クレードル機能付き無線ＡＰ１は、ＡＮＹ接続を介して無線通信端末２に、所定の接続条件を満足させるために必要な設定変更の内容（例えば、公衆無線ネットワークとの接続の切断）を送信する。そして、無線通信端末２から新たな状態情報が送られてきたならば、無線通信端末２のＬＡＮ４への接続可否を再度判断する。一方、無線通信端末２は、ＡＮＹ接続を介してクレードル機能付き無線ＡＰ１から受信した設定変更の内容を表示し、操作者から設定変更の可否を受け付ける。そして、設定変更を許可する旨の指示を操作者から受け付けたならば、この設定変更の内容に従って自無線通信端末２の設定を変更し、それから自無線通信端末２の状態情報を再度収集してクレードル機能付き無線ＡＰ１に送信する。設定変更を拒否する旨の指示を操作者から受け付けたならば、ＡＮＹ接続を切断して処理を終了する。
【００２６】
つぎに、無線通信端末２は、ＡＮＹ接続を介してクレードル機能付き無線ＡＰ１から受信したＡＰ用アカウント情報およびサーバ用アカウント情報を登録する。そして、ＡＮＹ接続の切断後、クレードル機能付き無線ＡＰ１に対して、ＡＰ用アカウント情報を伴う無線接続要求を送信する（Ｓ１１４）。
【００２７】
クレードル機能付き無線ＡＰ１は、無線接続要求を受信すると、この無線接続要求に付加されているＡＰ用アカウント情報に基づいてＬＡＮ４への接続可否を判断する（Ｓ１１５）。ここで、無線接続要求に付加されているＡＰ用アカウント情報は自クレードル機能付き無線ＡＰ１のＡＰ用アカウント情報であるので、ＬＡＮ４への接続可否を「接続可」と判断する。この場合、無線接続要求の送信元である無線通信端末２と無線接続を開始するとともに（Ｓ１１６）、無線通信端末２およびＬＡＮ４間の中継を開始する（Ｓ１１７）。これにより、無線通信端末２は、クレードル機能付き無線ＡＰ１を介してＬＡＮ４に接続される。なお、無線接続要求に付加されているＡＰ用アカウント情報が自クレードル機能付き無線ＡＰ１のＡＰ用アカウント情報と異なる場合、あるいは無線接続要求にＡＰ用アカウント情報が付加されていない場合は、ＬＡＮ４への接続可否を「接続不可」と判断する。この場合、クレードル機能付き無線ＡＰ１は、無線接続要求を無視するか、あるいは、無線接続要求を拒否する旨の拒否応答を返信する。
【００２８】
つぎに、無線通信端末２は、クレードル機能付き無線ＡＰ１を介してＬＡＮ４に接続されたならば、サーバ３に対して、サーバ用アカウント情報を伴うログイン要求を送信する（Ｓ１１８）。なお、サーバ３のアドレスは、無線通信端末２に予め登録しておくか、あるいは、クレードル機能付き無線ＡＰ１からサーバ用アカウント情報とともに受信する。
【００２９】
サーバ３は、無線通信端末２からログイン要求を受信したならば、このログイン要求に付加されているサーバ用アカウント情報を用いて無線通信端末２のログイン処理を行う（Ｓ１１９）。これにより、無線通信端末２は、サーバ３が提供するサービスを利用可能となる。
【００３０】
その後、無線通信端末２は、操作者によってクレードル機能付き無線ＡＰ１から取り外される、所定のボタンが押下される等の切断操作を受け付けると（Ｓ１２０）、クレードル機能付き無線ＡＰ１との無線接続を切断する（Ｓ１２１）。その後、登録されているＡＰ用アカウント情報およびサーバ用アカウント情報をクリアするとともに、端末調査・制御ＰＧの実行を終了する（Ｓ１２２）。
【００３１】
つぎに、本実施の形態に係る通信システムを構成するクレードル機能付き無線ＡＰ１および無線通信端末２の詳細を説明する。なお、サーバ３は、ＳＩＰサーバ、ファイルサーバ等のサービス提供を受けるためにログインを要求する既存のサーバであるので、その詳細な説明を省略する。
【００３２】
図３は、クレードル機能付き無線ＡＰ１の概略機能構成図である。
【００３３】
図示するように、クレードル機能付き無線ＡＰ１は、載置台１００と、載置判定部１０１と、アドレス取得部１０２と、無線ＬＡＮインターフェース部１０３と、ＬＡＮインターフェース部１０４と、ＡＮＹ接続要求処理部１０５と、端末調査・制御ＰＧ記憶部１０６と、アカウント情報記憶部１０７と、状態情報取得部１０８と、接続可否判断部１０９と、アカウント情報送信部１１０と、設定変更内容送信部１１１と、無線接続要求処理部１１２と、中継制御部１１３と、を備えている。
【００３４】
載置台１００は、無線通信端末２を載置可能に構成されており、無線通信端末２が載置された場合にこの無線通信端末２と電気的に接続する上述のＡＰ側接続端子１１４を備えている。
【００３５】
載置判定部１０１は、ＡＰ側接続端子１１４の電圧・電流状態あるいは不図示のセンサの出力に基づいて、無線通信端末２の載置台１００への載置状態を判定する。
【００３６】
アドレス取得部１０２は、ＡＰ側接続端子１１４を介して載置台１００に載置されている無線通信端末２からこの無線通信端末２のアドレスを取得する。
【００３７】
無線ＬＡＮインターフェース部１０３は、無線ＬＡＮに接続するためのインターフェースである。また、無線ＬＡＮインターフェース部１０３は、自クレードル機能付き無線ＡＰ１の無線通信可能エリアを告知するためのビーコン信号を逐次送信する。
【００３８】
ＬＡＮインターフェース部１０４は、ＬＡＮ４に接続するためのインターフェースである。
【００３９】
ＡＮＹ接続要求処理部１０５は、無線ＬＡＮインターフェース部１０３を介して無線ＬＡＮから受信したＡＮＹ接続要求を処理し、このＡＮＹ接続要求の送信元である無線通信端末２と無線ＬＡＮインターフェース部１０３を介してＡＮＹ接続する。
【００４０】
端末調査・制御ＰＧ記憶部１０６には、無線通信端末２の状態調査および制御のためのプログラムである上述の端末調査・制御ＰＧが記憶されている。
【００４１】
アカウント情報記憶部１０７には、自クレードル機能付き無線ＡＰ１に無線接続するために必要なアカウント情報（自クレードル機能付き無線ＡＰ１のＳＳＩＤを含むアカウント情報）である上述のＡＰ用アカウント情報、およびサーバ３にログインするために必要なアカウント情報である上述のサーバ用アカウント情報が記憶されている。
【００４２】
状態情報取得部１０８は、ＡＮＹ接続要求処理部１０５によってＡＮＹ接続されている無線通信端末２に、端末調査・制御ＰＧ記憶部１０６に記憶されている端末調査・制御ＰＧを送信して実行させ、これにより無線通信端末２から、セキュリティ設定状態およびネットワーク接続状況を含む状態情報を取得する。
【００４３】
接続可否判断部１０９は、状態情報取得部１０８によって取得された状態情報が所定の接続条件（例えば、セキュリティソフトウェアが機能（少なくともファイアウォール機能が有効かつウイルス・スパイウェア検出機能が稼働中）していること、および、公衆無線ネットワークに接続されていないことの少なくとも一方に該当すること）を満足するか否かを調べることにより、ＡＮＹ接続要求処理部１０５によってＡＮＹ接続されている無線通信端末２のＬＡＮ４への接続可否を判断する。
【００４４】
アカウント情報送信部１１０は、接続可否判断部１０９によって無線通信端末２のＬＡＮ４への接続可否が「接続可」と判断された場合に、ＡＮＹ接続要求処理部１０５によってＡＮＹ接続されている無線通信端末２に、アカウント情報記憶部１０７に記憶されているＡＰ用アカウント情報およびサーバ用アカウント情報を送信する。
【００４５】
設定変更内容送信部１１１は、接続可否判断部１０９によって無線通信端末２のＬＡＮ４への接続可否が「接続不可」と判断された場合に、ＡＮＹ接続要求処理部１０５によってＡＮＹ接続されている無線通信端末２に、この無線通信端末２が所定の接続条件を満足する状態となるために必要な設定変更の内容（例えば、公衆無線ネットワークとの接続を切断すること）を送信する。
【００４６】
無線接続要求処理部１１２は、無線ＬＡＮインターフェース部１０３を介して無線ＬＡＮから受信した無線接続要求を処理し、この無線接続要求の送信元である無線通信端末２と無線ＬＡＮインターフェース部１０３を介して無線接続する。
【００４７】
中継制御部１１３は、無線接続要求処理部１１２により無線接続された無線通信端末２とＬＡＮインターフェース部１０４との間を中継して、この無線通信端末２をＬＡＮ４に接続する。
【００４８】
図４は、クレードル機能付き無線ＡＰ１の動作を説明するためのフロー図である。
【００４９】
ＡＮＹ接続要求処理部１０５は、無線ＬＡＮインターフェース部１０３を介して無線ＬＡＮからＡＮＹ接続要求を受信すると（Ｓ２００でＹＥＳ）、載置判定部１０１から、無線通信端末２の載置台１００に対する載置状態を取得する。
【００５０】
そして、ＡＮＹ接続要求処理部１０５は、載置状態が「非載置」ならば（Ｓ２０１でＮＯ）、このＡＮＹ接続要求を無視するか、あるいは、ＡＮＹ接続要求を拒否する旨の拒否応答を返信して、Ｓ２００に戻る。一方、載置状態が「載置」ならば（Ｓ２０１でＹＥＳ）、アドレス取得部１０２にアドレスの取得を指示する。これを受けて、アドレス取得部１０２は、ＡＰ側接続端子１１４を介して、載置台１００に載置されている無線通信端末２にアドレス要求を送信し、この無線通信端末２から、この無線通信端末２のアドレスを取得してＡＮＹ接続要求処理部１０５に渡す（Ｓ２０２）。
【００５１】
つぎに、ＡＮＹ接続要求処理部１０５は、アドレス取得部１０２により取得されたアドレスおよびＡＮＹ接続要求の送信元アドレスを比較し、載置台１００に載置されている無線通信端末２がＡＮＹ接続要求の送信元であるか否かを判定する（Ｓ２０３）。そして、ＡＮＹ接続要求処理部１０５は、載置台１００に載置されている無線通信端末２がＡＮＹ接続要求の送信元でないならば（Ｓ２０３でＮＯ）、このＡＮＹ接続要求を無視するか、あるいは、ＡＮＹ接続要求を拒否する旨の拒否応答を返信して、Ｓ２００に戻る。一方、載置台１００に載置されている無線通信端末２がＡＮＹ接続要求の送信元であるならば（Ｓ２０３でＹＥＳ）、ＡＮＹ接続要求を許可し、無線ＬＡＮインターフェース部１０３を介して、載置台１００に載置されているＡＮＹ接続要求の送信元である無線通信端末２とＡＮＹ接続する（Ｓ２０４）。
【００５２】
つぎに、状態情報取得部１０８は、ＡＮＹ接続されている無線通信端末２に、端末調査・制御ＰＧ記憶部１０６に記憶されている端末調査・制御ＰＧを送信して実行させる（Ｓ２０５）。そして、ＡＮＹ接続されている無線通信端末２から、この無線通信端末２の状態情報が送られてくるのを待つ（Ｓ２０６）。
【００５３】
つぎに、状態情報取得部１０８は、ＡＮＹ接続されている無線通信端末２からこの無線通信端末２の状態情報を受信したならば（Ｓ２０６でＹＥＳ）、この状態情報を接続可否判断部１０９に通知する。これを受けて、接続可否判断部１０９は、無線通信端末２の状態情報が所定の接続条件を満足しているか否かを判断する（Ｓ２０７）。例えば、状態情報に含まれているセキュリティ設定状態が、セキュリティソフトウェアが機能（少なくともファイアウォール機能が有効かつウイルス・スパイウェア検出機能が稼働中）していることを示しているか、あるいは、状態情報に含まれているネットワーク接続状況が、公衆無線ネットワークに接続されていないことを示している場合に、所定の接続条件を満足しているものと判断する。
【００５４】
無線通信端末２の状態情報が所定の接続条件を満足している場合（Ｓ２０７でＹＥＳ）、接続可否判断部１０９は、ＡＮＹ接続されている無線通信端末２のＬＡＮ４への接続可否を「接続可」と判断し、その旨をアカウント情報送信部１１０に通知する。これを受けて、アカウント情報送信部１１０は、ＡＮＹ接続されている無線通信端末２に、アカウント情報記憶部１０７に記憶されているＡＰ用アカウント情報およびサーバ用アカウント情報を送信する（Ｓ２０８）。その後、ＡＮＹ接続要求処理部１０５は、無線通信端末２とのＡＮＹ接続を切断し（Ｓ２０９）、Ｓ２００に戻る。
【００５５】
一方、無線通信端末２の状態情報が所定の接続条件を満足していない場合（Ｓ２０７でＮＯ）、接続可否判断部１０９は、ＡＮＹ接続されている無線通信端末２のＬＡＮ４への接続可否を「接続不可」と判断し、その旨を設定変更内容送信部１１１に通知する。これを受けて、設定変更内容送信部１１１は、ＡＮＹ接続されている無線通信端末２に、この無線通信端末２が所定の接続条件を満足する状態となるために必要な設定変更の内容（例えば、公衆無線ネットワークとの接続を切断すること）を送信し（Ｓ２１０）、Ｓ２０６に戻る。
【００５６】
ここで、ＡＮＹ接続されている無線通信端末２からこの無線通信端末２の状態情報を状態情報取得部１０８が受信することなく（Ｓ２０６でＮＯ）、所定時間の経過によりタイムアウトした場合（Ｓ２１１でＹＥＳ）、ＡＮＹ接続要求処理部１０５は、無線通信端末２とのＡＮＹ接続を切断し（Ｓ２０９）、Ｓ２００に戻る。
【００５７】
また、無線接続要求処理部１１２は、無線ＬＡＮインターフェース部１０３を介して無線ＬＡＮから無線接続要求を受信すると（Ｓ２２０でＹＥＳ）、この無線接続要求に付加されているＡＰ用アカウント情報がアカウント情報記憶部１０７に記憶されているＡＰ用アカウント情報と一致するか否かを調べる（Ｓ２２１）。両者が一致しない場合（Ｓ２２１でＮＯ）、無線接続要求処理部１１２は、この無線接続要求を無視するか、あるいは、無線接続要求を拒否する旨の拒否応答を返信して、Ｓ２００に戻る。一方、両者が一致する場合（Ｓ２２１でＹＥＳ）、無線接続要求処理部１１２は、無線接続要求を許可し、無線ＬＡＮインターフェース部１０３を介して、無線接続要求の送信元である無線通信端末２と無線接続する（Ｓ２２２）。これを受けて、中継制御部１１３は、無線接続された無線通信端末２とＬＡＮインターフェース部１０４との間の中継を開始して、この無線通信端末２をＬＡＮ４に接続する（Ｓ２２３）。
【００５８】
さて、無線通信端末２と無線接続している状態において、操作者から無線接続の切断操作を受け付けるか、あるいは無線通信端末２から無線接続の切断要求を受け付けると（Ｓ２２４でＹＥＳ）、中継制御部１１３は、無線通信端末２およびＬＡＮインターフェース部１０４間の中継を終了する。また、無線接続要求処理部１１２は、無線通信端末２との無線接続を切断する（Ｓ２２５）。その後、Ｓ２００に戻る。
【００５９】
図５は、無線通信端末２の概略機能構成図である。
【００６０】
図示するように、無線通信端末２は、クレードル機能付き無線ＡＰ１に載置された場合にクレードル機能付き無線ＡＰ１のＡＰ側接続端子１１４と電気的に接続する上述の端末側接続端子２００と、アドレス通知部２０１と、無線ＬＡＮインターフェース部２０２と、公衆無線インターフェース部２０３と、マンマシンインターフェース部２０４と、ＡＮＹ接続要求部２０５と、無線接続要求部２０６と、アカウント情報記憶部２０７と、ＰＧ記憶部２０８と、ＰＧ実行部２０９と、を備えている。
【００６１】
アドレス通知部２０１は、端末側接続端子２００を介してクレードル機能付き無線ＡＰ１から受信したアドレス要求に従い、自無線通信端末２のアドレスが記述されたアドレス通知を送信する。
【００６２】
無線ＬＡＮインターフェース部２０２は、無線ＬＡＮに接続するためのインターフェースである。
【００６３】
公衆無線インターフェース部２０３は、３Ｇ回線、公衆無線ＬＡＮ等の公衆無線ネットワークに接続するためのインターフェースである。
【００６４】
マンマシンインターフェース部２０４は、操作者に情報や音声を伝えたり、操作者から指示や音声を受け付けたりするためのインターフェースであり、液晶パネル等の表示装置、各種キー、ボタン等の入力装置、およびマイク、スピーカからなる音声入出力装置を備えている。なお、表示装置および入力装置は、タッチパネル機能付き液晶パネルであってもよい。
【００６５】
ＡＮＹ接続要求部２０５は、無線ＬＡＮインターフェース部２０２を介して最寄りのクレードル機能付き無線ＡＰ１にＡＮＹ接続要求を送信して、このクレードル機能付き無線ＡＰ１と無線ＬＡＮインターフェース部２０２を介してＡＮＹ接続する。なお、ＡＮＹ接続要求部２０５は、無線ＬＡＮインターフェース部２０２において、クレードル機能付き無線ＡＰ１から逐次送信されるビーコン信号を受信して、その信号強度を調べることにより、最寄りのクレードル機能付き無線ＡＰ１を特定することができる。
【００６６】
無線接続要求部２０６は、無線ＬＡＮインターフェース部２０２を介して最寄りのクレードル機能付き無線ＡＰ１に無線接続要求を送信し、このクレードル機能付き無線ＡＰ１と無線ＬＡＮインターフェース部２０２を介して無線接続する。
【００６７】
アカウント情報記憶部２０７には、ＡＮＹ接続されたクレードル機能付き無線ＡＰ１から受信したＡＰ用アカウント情報およびサーバ用アカウント情報が記憶される。
【００６８】
ＰＧ記憶部２０８には、ＡＮＹ接続されたクレードル機能付き無線ＡＰ１から受信した端末調査・制御ＰＧ２０８１を含む各種プログラムが記憶される。
【００６９】
ＰＧ実行部２０９は、ＰＧ記憶部２０８に記憶されている各種プログラムを実行する。特に、端末調査・制御ＰＧ２０８１を実行することにより、状態情報通知部２０９１、アカウント情報登録部２０９２、設定変更可否受付部２０９３、設定変更部２０９４、およびログイン要求部２０９５を具現化する。
【００７０】
ここで、状態情報通知部２０９１は、自無線通信端末２のセキュリティ設定状態およびネットワーク接続状況を含む状態情報を取得して、ＡＮＹ接続されているクレードル機能付き無線ＡＰ１に、この状態情報を送信する。
【００７１】
アカウント情報登録部２０９２は、ＡＮＹ接続されているクレードル機能付き無線ＡＰ１から受信したＡＰ用アカウント情報およびサーバ用アカウント情報をアカウント情報記憶部２０７に記憶する。
【００７２】
設定変更可否受付部２０９３は、ＡＮＹ接続されているクレードル機能付き無線ＡＰ１から受信した設定変更の内容（自無線通信端末２をこのクレードル機能付き無線ＡＰ１に無線接続するために必要な設定変更の内容）を、マンマシンインターフェース部２０４に表示して、操作者から設定変更の可否を受け付ける。
【００７３】
設定変更部２０９４は、設定変更可否受付部２０９３により操作者から設定変更の許可を受け付けた場合に、その設定変更の内容に従い自無線通信端末２の状態を変更する。
【００７４】
ログイン要求部２０９５は、無線接続されているクレードル機能付き無線ＡＰ１を介してサーバ３に、アカウント情報記憶部２０７に記憶されているサーバ用アカウント情報を伴うログイン要求を送信する。
【００７５】
図６は、無線通信端末２の動作を説明するためのフロー図である。
【００７６】
ＡＮＹ接続要求部２０５は、所定のボタンの押下等、マンマシンインターフェース部２０４を介して操作者から接続操作を受け付けると（Ｓ３００でＹＥＳ）、無線ＬＡＮインターフェース部２０２を介して最寄りのクレードル機能付き無線ＡＰ１にＡＮＹ接続要求を送信する（Ｓ３０１）。そして、アドレス通知部２０１は、端末側接続端子２００を介してクレードル機能付き無線ＡＰ１からアドレス要求が送られてくるのを待つ（Ｓ３０２）。
【００７７】
ここで、自無線通信端末２がクレードル機能付き無線ＡＰ１に載置されておらず、このためアドレス要求を受信することなく（Ｓ３０２でＮＯ）、所定の時間の経過によりタイムアウトしたならば（Ｓ３０３でＹＥＳ）、Ｓ３００に戻る。一方、自無線通信端末２がクレードル機能付き無線ＡＰ１に載置されており、このためタイムアウトする前に（Ｓ３０３でＮＯ）、クレードル機能付き無線ＡＰ１からアドレス要求を受信したならば（Ｓ３０２でＹＥＳ）、アドレス通知部２０１は、端末側接続端子２００を介してクレードル機能付き無線ＡＰ１に、自無線通信端末２のアドレスが記述されたアドレス通知を送信する（Ｓ３０４）。
【００７８】
その後、ＡＮＹ接続要求部２０５は、無線ＬＡＮインターフェース部２０２を介してクレードル機能付き無線ＡＰ１から、ＡＮＹ接続を許可する旨の許可応答が送られてくるのを待つ（Ｓ３０５）。ここで、許可応答を受信することなく（Ｓ３０５でＮＯ）、所定の時間の経過によりタイムアウトするか、あるいは、ＡＮＹ接続を拒否する旨の拒否応答を受信したならば（Ｓ３０６でＹＥＳ）、Ｓ３００に戻る。一方、タイムアウトする前に（Ｓ３０６でＮＯ）、許可応答を受信したならば（Ｓ３０５でＹＥＳ）、ＡＮＹ接続要求部２０５は、クレードル機能付き無線ＡＰ１とＡＮＹ接続する（Ｓ３０７）。
【００７９】
つぎに、ＡＮＹ接続要求部２０５は、ＡＮＹ接続されたクレードル機能付き無線ＡＰ１から端末調査・制御ＰＧ２０８１を受信する。ＰＧ実行部２０９は、この端末調査・制御ＰＧ２０８１をＰＧ記憶部２０８に記憶して実行する（Ｓ３０８）。これにより、状態情報通知部２０９１、アカウント情報登録部２０９２、設定変更可否受付部２０９３、設定変更部２０９４、およびログイン要求部２０９５が具現化される。
【００８０】
つぎに、状態情報通知部２０９１は、自無線通信端末２のセキュリティ設定状態およびネットワーク接続状況を含む状態情報を収集して、ＡＮＹ接続されたクレードル機能付き無線ＡＰ１に、この状態情報を送信し、このクレードル機能付き無線ＡＰ１からの返信を受信する（Ｓ３０９）。そして、この返信がアカウント情報であるか、それとも設定変更内容であるかを調べる（Ｓ３１０）。
【００８１】
クレードル機能付き無線ＡＰ１からの返信が設定変更内容である場合（Ｓ３１０で「設定変更」）、状態情報通知部２０９１は、この設定変更内容を設定変更可否受付部２０９３に通知する。これを受けて、設定変更可否受付部２０９３は、この設定変更内容をマンマシンインターフェース部２０４に表示して、操作者から設定変更の可否を受け付ける（Ｓ３１１）。そして、操作者から、設定変更を許可する旨の指示を受け付けたならば（Ｓ３１２で「変更許可」）、この設定変更内容を設定変更部２０９４に通知する。これを受けて、設定変更部２０９４は、この設定変更内容に従い、自無線通信端末２の設定を変更する（Ｓ３１３）。例えば、公衆無線インターフェース部２０３を制御して、公衆無線ネットワークとの接続を切断する。その後、Ｓ３０９に戻る。一方、操作者から、設定変更を拒否する旨の指示を受け付けたならば（Ｓ３１２で「変更拒否」）、状態情報通知部２０９１は、その旨をＡＮＹ接続要求部２０５に通知する。これを受けて、ＡＮＹ接続要求部２０５は、クレードル機能付き無線ＡＰ１とのＡＮＹ接続を切断し（Ｓ３１４）、Ｓ３００に戻る。
【００８２】
また、クレードル機能付き無線ＡＰ１からの返信がアカウント情報（ＡＰ用アカウント情報およびサーバ用アカウント情報）である場合（Ｓ３１０で「アカウント情報」）、状態情報通知部２０９１は、このアカウント情報をアカウント情報登録部２０９２に渡す。
【００８３】
これを受けて、アカウント情報登録部２０９２は、このアカウント情報をアカウント情報記憶部２０７に記憶する（Ｓ３１５）。その後、状態情報通知部２０９１は、ＡＮＹ接続要求部２０５にＡＮＹ接続の切断を指示する。ＡＮＹ接続要求部２０５は、状態情報通知部２０９１の指示に従い、クレードル機能付き無線ＡＰ１とのＡＮＹ接続を切断する（Ｓ３１６）。
【００８４】
つぎに、状態情報通知部２０９１は、無線接続要求部２０６に対して、直前までＡＮＹ接続していたクレードル機能付き無線ＡＰ１との無線接続を指示する。これを受けて、無線接続要求部２０６は、アカウント情報記憶部２０７からＡＰ用アカウント情報を読み出して、無線ＬＡＮインターフェース部２０２を介してクレードル機能付き無線ＡＰ１に、ＡＰ用アカウント情報を伴う無線接続要求を送信する（Ｓ３１７）。
【００８５】
つぎに、無線接続要求部２０６は、無線接続要求に対する応答として、クレードル機能付き無線ＡＰ１から、無線接続を拒否する旨の拒否応答を受信した場合（Ｓ３１８でＮＯ）、Ｓ３００に戻る。一方、クレードル機能付き無線ＡＰ１から、無線接続を許可する旨の許可応答を受信した場合（Ｓ３１８でＹＥＳ）、無線接続要求部２０６は、クレードル機能付き無線ＡＰ１と無線接続する（Ｓ３１９）。
【００８６】
さて、クレードル機能付き無線ＡＰ１と無線接続されたならば、ログイン要求部２０９５は、アカウント情報記憶部２０７からサーバ用アカウント情報を読み出して、無線接続されたクレードル機能付き無線ＡＰ１を介してサーバ３にログイン要求を送信する（Ｓ３２０）。これにより、無線通信端末２はサーバ３にログインされる。
【００８７】
その後、マンマシンインターフェース部２０４を介して操作者から無線接続の切断操作を受け付ける等、所定の無線切断イベントが発生したならば（Ｓ３２１でＹＥＳ）、無線接続要求部２０６は、クレードル機能付き無線ＡＰ１との無線接続を切断する（Ｓ３２２）。それから、ＰＧ実行部２０９は、アカウント情報記憶部２０７に記憶されているアカウント情報（ＡＰ用アカウント情報およびサーバ用アカウント情報）、およびＰＧ記憶部２０８に記憶されている端末調査・制御ＰＧ２０８１を消去するとともに、この端末調査・制御ＰＧ２０８１の実行を終了して（Ｓ３２３）、Ｓ３００に戻る。
【００８８】
以上、本発明の一実施の形態を説明した。
【００８９】
本実施の形態において、クレードル機能付き無線ＡＰ１は、ＡＮＹ接続要求を受信すると、このＡＮＹ接続要求の送信元である無線通信端末２とＡＮＹ接続し、この無線通信端末２から、セキュリティ設定状態およびネットワーク接続状況を含む状態情報を取得する。そして、取得した状態情報が所定の接続条件を満足しているか否かを判断し、満足していると判断したならば、この無線通信端末２にＡＰ用アカウント情報を送信してＡＮＹ接続を切断する。また、クレードル機能付き無線ＡＰ１は、無線接続要求を受信すると、この無線接続要求が自クレードル機能付き無線ＡＰ１のＡＰ用アカウント情報を伴っていない場合は、この無線接続要求を拒否し、この無線接続要求が自クレードル機能付き無線ＡＰ１のＡＰ用アカウント情報を伴っている場合にのみ、この無線接続要求を許可して、この無線接続要求の送信元である無線通信端末２と無線接続する。
【００９０】
一方、無線通信端末２は、操作者の指示に従いクレードル機能付き無線ＡＰ１にＡＮＹ接続要求を送信し、クレードル機能付き無線ＡＰ１とＡＮＹ接続して、クレードル機能付き無線ＡＰ１に自無線通信端末２の状態情報を通知する。その後、クレードル機能付き無線ＡＰ１からＡＰ用アカウント情報を受信したならば、ＡＮＹ接続を切断して、このＡＰ用アカウント情報を伴う無線接続要求をクレードル機能付き無線ＡＰ１に送信し、クレードル機能付き無線ＡＰ１と無線接続する。
【００９１】
このため、所定の接続条件を満足している無線通信端末２のみが、ＡＮＹ接続を用いてクレードル機能付き無線ＡＰ１からＡＰ用アカウント情報を取得でき、このＡＰ用アカウント情報を用いてクレードル機能付き無線ＡＰ１に無線接続することにより、クレードル機能付き無線ＡＰ１経由でＬＡＮ４に接続することができる。また、操作者が無線通信端末２に指示を入力するだけで、自無線通信端末２のセキュリティ設定状態およびネットワーク接続状況を含む状態情報の通知、ＡＰ用アカウント情報の受信、およびＡＰ用アカウント情報を用いたクレードル機能付き無線ＡＰ１への無線接続を行うことができる。したがって、本実施の形態によれば、セキュリティを確保しつつ、簡単な操作で無線通信端末２をクレードル機能付き無線ＡＰ１に無線接続することができる。
【００９２】
また、本実施の形態において、クレードル機能付き無線ＡＰ１は、無線通信端末２の無線接続を拒否する場合、無線通信端末２が所定の接続条件を満足させるために必要な設定変更の内容を、ＡＮＹ接続されている無線通信端末２に送信する。一方、無線通信端末２は、ＡＮＹ接続されているクレードル機能付き無線ＡＰ１から、自無線通信端末２をクレードル機能付き無線ＡＰ１に無線接続するために必要な設定変更の内容を受信した場合に、この設定変更の内容をマンマシンインターフェース部２０４に表示して、操作者から設定変更の可否を受け付ける。そして、操作者から設定変更の許可を受け付けた場合に、この設定変更の内容に従って自無線通信端末２の設定を変更するとともに、設定変更後の自無線通信端末２の状態情報をクレードル機能付き無線ＡＰ１に再度通知する。このように、本実施の形態によれば、無線通信端末２の設定内容を変更した上でクレードル機能付き無線ＡＰ１に無線通信端末２を無線接続するので、より確実にセキュリティを確保しつつ、クレードル機能付き無線ＡＰ１に無線通信端末２を無線接続することができる。
【００９３】
また、本実施の形態において、クレードル機能付き無線ＡＰ１は、ＬＡＮ４に接続されたサーバ３からサービス提供を受けるために必要なサーバ用アカウント情報をＡＰ用アカウント情報とともに、ＡＮＹ接続されている無線通信端末２に送信する。一方、無線通信端末２は、ＡＮＹ接続されているクレードル機能付き無線ＡＰ１から受信したサーバ用アカウント情報を登録する。そして、クレードル機能付き無線ＡＰ１と無線接続されたならば、このクレードル機能付き無線ＡＰ１を介してサーバ３に、サーバ用アカウント情報を伴うログイン要求を送信して、このサーバ３にログインする。このように、本実施の形態によれば、無線通信端末２を、クレードル機能付き無線ＡＰ１に無線接続することでサーバ３に自動ログインさせることができるので、無線通信端末２の使い勝手を向上させることができる。
【００９４】
また、本実施の形態において、クレードル機能付き無線ＡＰ１は、無線通信端末２を載置するための載置台１００を備え、載置台１００のＡＰ側接続端子１１４を介して、載置台１００に載置されている無線通信端末２にアドレス要求を送信する。これを受けて、無線通信端末２は、端末側接続端子２００を介してクレードル機能付き無線ＡＰ１に自無線通信端末２のアドレスを通知する。そして、クレードル機能付き無線ＡＰ１は、この取得したアドレスが、無線通信端末２から受信したＡＮＹ接続要求の送信元アドレスと一致する場合にのみ、この無線通信端末２とＡＮＹ接続する。このようにすることにより、本実施の形態では、クレードル機能付き無線ＡＰ１に載置されている無線通信端末２のみがクレードル機能付き無線ＡＰ１と無線接続するので、通信システムのセキュリティを強化することができる。
【００９５】
また、本実施の形態では、クレードル機能付き無線ＡＰ１がＡＮＹ接続されている無線通信端末２に端末調査・制御ＰＧを送信し、無線通信端末２がこの端末調査・制御ＰＧ２０８１を実行して、状態情報通知部２０９１、アカウント情報登録部２０９２、設定変更可否受付部２０９３、設定変更部２０９４、およびログイン要求部２０９５を具現化している。したがって、本実施の形態によれば、端末調査・制御ＰＧ２０８１を予め無線通信端末２に記憶しておく必要がないので、使い勝手が向上する。
【００９６】
なお、本発明は上記の実施の形態に限定されるものではなく、その要旨の範囲内で数々の変形が可能である。
【００９７】
例えば、上記の実施の形態では、クレードル機能付き無線ＡＰ１にＡＰ側接続端子１１４を設けるとともに無線通信端末２に端末側接続端子２００を設け、両接続端子１１４、２００を介して、無線通信端末２のアドレスをクレードル機能付き無線ＡＰ１に通知しているが、本発明はこれに限定されない。ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）等の近距離無線通信を介して、無線通信端末２のアドレスをクレードル機能付き無線ＡＰ１に通知してもよい。
【００９８】
また、上記の実施の形態において、クレードル機能付き無線ＡＰ１は、載置台１００を備え、載置台１００に載置されているクレードル機能付き無線ＡＰ１とのみＡＮＹ接続および無線接続しているが、本発明はこれに限定されない。本発明は、載置台１００を備えていない一般的な無線アクセスポイントにも適用することができ、この場合、無線アクセスポイントは、自身の無線通信可能エリアに属する複数の無線通信端末２と同時にＡＮＹ接続および無線接続してもよい。
【００９９】
また、上記の実施の形態において、端末調査・制御ＰＧ２０８１は、ＡＮＹ接続を介してクレードル機能付き無線ＡＰ１から無線通信端末２に送信しているが、本発明はこれに限定されない。端末調査・制御ＰＧ２０８１は、予め無線通信端末２のＰＧ記憶部２０８に記憶されていてもよい。
【０１００】
また、上記の実施の形態において、クレードル機能付き無線ＡＰ１は、無線通信端末２のＬＡＮ４への接続可否の判断後（図２のＳ１１１）、この無線通信端末２とのＡＮＹ接続を切断している（図２のＳ１１３）。しかし、本発明はこれに限定されない。無線通信端末２のＬＡＮ４への接続可否が「接続可」と判断された場合には、このＡＮＹ接続を切断することなく維持してもよい。この場合、所定時間内に、ＡＮＹ接続されている無線通信端末２からＡＰ用アカウント情報を伴う無線接続要求を受信したならば（図２のＳ１１４、Ｓ１１５）、このＡＮＹ接続を利用して無線通信端末２およびＬＡＮ４の中継を開始する（図２のＳ１１７）。一方、所定時間内に、ＡＮＹ接続されている無線通信端末２からＡＰ用アカウント情報を伴う無線接続要求を受信しなかったならば、この無線通信端末２とのＡＮＹ接続を切断する。
【０１０１】
また、上記の実施の形態において、図３に示すクレードル機能付き無線ＡＰ１および図５に示す無線通信端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【符号の説明】
【０１０２】
１：クレードル機能付き無線ＡＰ、  ２：無線通信端末、  ３：サーバ、  ４：ＬＡＮ、  １００：載置台、  １０１：載置判定部、  １０２：アドレス取得部、  １０３：無線ＬＡＮインターフェース部、１０４：ＬＡＮインターフェース部、  １０５：ＡＮＹ接続要求処理部、  １０６：端末調査・制御ＰＧ記憶部、  １０７：アカウント情報記憶部、  １０８：状態情報取得部、  １０９：接続可否判断部、  １１０：アカウント情報送信部、  １１１：接続変更内容送信部、  １１２：無線接続要求処理部、  １１３：中継制御部、  １１４：ＡＰ側接続端子、  ２００：端末側接続端子、  ２０１：アドレス通知部、  ２０２：無線ＬＡＮインターフェース部、  ２０３：公衆無線インターフェース部、  ２０４：マンマシンインターフェース部、  ２０５：ＡＮＹ接続要求部、  ２０６：無線接続要求部、  ２０７：アカウント情報記憶部、  ２０８：ＰＧ記憶部、  ２０９：ＰＧ実行部、  ２０８１：端末調査・制御ＰＧ、  ２０９１：状態情報通知部、  ２０９２：アカウント情報登録部、  ２０９３：設定変更可否受付部、  ２０９４：設定変更部、  ２０９５：ログイン要求部
【図１】
2014103484.tif 000003
【図２】
2014103484.tif 000004
【図３】
2014103484.tif 000005
【図４】
2014103484.tif 000006
【図５】
2014103484.tif 000007
【図６】
2014103484.tif 000008